(57)【要約】【課題】粘性の高い経血等の体液の引き込み性を高め、着用者の装着感を向上させることができる吸収性物品を提供する【解決手段】  吸収性物品１は、本体部２と、本体部よりも幅方向外側に突出するウイング部４３と、ウイング部よりも後方において本体部よりも幅方向外側に突出するフラップ部６０と、を備える。フラップ部は、フラップ吸収体３５と、フラップ吸収体よりも肌当接面側に位置するフラップ表面シート１２と、を有する。フラップ部には、フラップ吸収体とフラップ表面シートを厚み方向に圧搾したフラップエンボス部７０が形成されている。フラップエンボス部は、後方に向かうにつれて幅方向内側から幅方向外側に延びる。【選択図】図１
2014147461.tif 000002
【特許請求の範囲】
【請求項１】
前後方向と、前記前後方向に直交する幅方向とを有する吸収性物品において、
本体吸収体を有する本体部と、
前記本体部よりも幅方向外側に突出し、着用者の下着の非肌当接面側に折り返されるウイング部と、
前記ウイング部よりも後方において、前記本体部よりも幅方向外側に突出するフラップ部と、を備え、
前記フラップ部は、フラップ吸収体と、前記フラップ吸収体よりも肌当接面側に位置するフラップ表面シートと、を有し、
前記フラップ部には、前記フラップ吸収体と前記フラップ表面シートを厚み方向に圧搾したフラップエンボス部が形成されており、
前記フラップエンボス部は、後方に向かうにつれて幅方向内側から幅方向外側に延びることを特徴とする、吸収性物品。
【請求項２】
前記フラップエンボス部は、前記厚み方向に圧搾された複数のエンボス構成部によって構成されており、
前記複数のエンボス構成部は、間隔を空けて配置されている、請求項１に記載の吸収性物品。
【請求項３】
前記フラップエンボス部は、複数設けられており、
一のフラップエンボス部と、他のフラップエンボス部と、は、前記幅方向において重なっている、請求項１又は請求項２に記載の吸収性物品。
【請求項４】
前記エンボス構成部は、図形形状を示す図形エンボス構成部と、絵柄形状を示す絵柄エンボス構成部と、を有する、請求項２に記載の吸収性物品。
【請求項５】
前記図形エンボス構成部は、所定のライン上に配置されており、
前記絵柄エンボス構成部は、前記ラインからずれて配置されている、請求項４に記載の吸収性物品。
【請求項６】
前記絵柄エンボス構成部の前記所定ラインと直交する方向の幅寸法は、前記所定のラインの幅寸法よりも大きい、請求項５に記載の吸収性物品。
【請求項７】
前記図形エンボス構成部は、複数隣接して配置されており、
前記絵柄エンボス構成部は、前記図柄エンボス構成部間に配置されており、
前記絵柄エンボス構成部と前記図形エンボス構成部の間隔は、前記図形エンボス構成部同士の間隔よりも大きい、請求項４から請求項６のいずれかに記載の吸収性物品。
【請求項８】
前記本体吸収体と、前記フラップ吸収体とは、一体化している、請求項１から請求項７のいずれかに記載の吸収性物品。
【請求項９】
前記フラップエンボス部は、前記フラップ部において最も幅方向外側に位置する最大膨出部よりも前方において、幅方向中内側から幅方向外側に向かって延び、かつ前記最大膨出部よりも後方において、幅方向外側から幅方向内側に向かって延びる、請求項１から請求項８のいずれかに記載の吸収性物品。
【請求項１０】
前記本体部は、前記本体吸収体を覆う本体表面シートを有し、
前記本体部には、前記本体吸収体と前記本体表面シートを厚み方向に圧搾する本体エンボス部が形成されており、
前記本体エンボス部を構成するエンボス構成部と、前記フラップエンボス部を構成するエンボス構成部とは、同一又は相似形である、請求項１から請求項９のいずれかに記載の吸収性物品。
【発明の詳細な説明】
【技術分野】
【０００１】
本発明は、生理用ナプキン等の吸収性物品に関する。
【背景技術】
【０００２】
特許文献１には、吸収性物品の後部に位置する後部フラップ部を有する吸収性物品としての生理用ナプキンが記載されている。特許文献１の生理用ナプキンの後部フラップ部は、フラップ部吸収体と、フラップ部吸収体を覆うシート材と、によって構成されている。また、後部フラップ部には、フラップ部吸収体とシート材とが圧搾されたエンボス部が形成されている。
【先行技術文献】
【特許文献】
【０００３】
【特許文献１】特開２００６−３４４９６号公報
【発明の概要】
【発明が解決しようとする課題】
【０００４】
しかし、上述の吸収性物品は、以下の問題点があった。
【０００５】
特許文献１に記載の吸収性物品の後部フラップ部は、フラップ部吸収体を有するため、フラップ部吸収体を有しない構成と比較して、剛性が高くなりやすい。更に、後部フラップ部には、エンボス部が設けられているため、後部フラップ部の剛性が更に高くなり易い。また、エンボス部は、幅方向に並んで複数設けられている。よって、着用者の脚や臀部によって吸収性物品が幅方向外側から幅方向内側に押圧された際に、後部フラップ部が変形し難く、違和感が生じるおそれがある。
【０００６】
また、後部フラップの剛性が比較的高いため、身体の丸みに沿って後部フラップが適切に配置されないおそれがある。よって、生理用ナプキンが身体にフィットせず、体液の漏れが発生し、装着感が悪化するおそれがある。また、後部フラップ部が硬いため、例えば、皺や折り目が形成された場合に硬い皺や折り目が着用者に当たって、装着感が悪化するそれがある。
【０００７】
本発明は、上述の課題に鑑みてなされたものであり、装着時におけるフラップ部の皺やよれを抑制し、かつ着用者の身体に沿って配置して装着感の悪化を抑制できる吸収性物品を提供することを目的とする。
【課題を解決するための手段】
【０００８】
上述した課題を解決するため、本発明に係る吸収性物品は、前後方向（長手方向Ｌ）と、前記前後方向に直交する幅方向（幅方向Ｗ）とを有する吸収性物品において、本体吸収体（本体吸収体３０）を有する本体部（本体部２）と、前記本体部よりも幅方向外側に突出し、着用者の下着の非肌当接面側に折り返されるウイング部（ウイング部４３）と、前記ウイング部よりも後方において、前記本体部よりも幅方向外側に突出するフラップ部（フラップ部６０）と、を備え、前記フラップ部は、フラップ吸収体（フラップ吸収体３５）と、前記フラップ吸収体よりも肌当接面側に位置するフラップ表面シート（フラップ表面シート１２）と、を有し、前記フラップ部には、前記フラップ吸収体と前記フラップ表面シートを厚み方向に圧搾したフラップエンボス部（フラップエンボス部７０）が形成されており、前記フラップエンボス部は、後方に向かうにつれて幅方向内側から幅方向外側に延びることを要旨とする。
【発明の効果】
【０００９】
装着時におけるフラップ部の皺やよれを抑制し、かつ着用者の身体に沿って配置して装着感の悪化を抑制できる吸収性物品を提供することができる。
【図面の簡単な説明】
【００１０】
【図１】第１の実施形態に係る吸収性物品の肌当接面側から見た平面図である。
【図２】図１に示す吸収性物品の背面図である。
【図３】図１に示すＡ−Ａ’断面の模式断面図である。
【図４】図１に示すＢ部分の拡大図である。
【図５】変形例１に係る吸収性物品の一部平面図である。
【図６】変形例２に係る吸収性物品の一部平面図である。
【図７】変形例３に係る吸収性物品の平面図である。
【発明を実施するための形態】
【００１１】
（第１の実施形態）
図１から図４を参照して、第１の実施形態に係る吸収性物品１について説明する。図１は、吸収性物品の平面図であり、図２は、吸収性物品の背面図である。図３は、図１に示すＡ−Ａ断面図である。図４は、図１に示すＢ部分の部分拡大図である。本実施形態に係る吸収性物品１は、例えば、生理用ナプキンである。
【００１２】
吸収性物品１は、本体部２と、本体部２よりも幅方向外側に配置される一対のウイング部４３と、ウイング部４３の後方において本体部２よりも幅方向外側に配置される一対のフラップ部６０と、を備える。本体部２は、吸収性物品の幅方向中央に位置する。本体部は、幅方向におけるウイング部４３の間、及びフラップ部６０の間に位置する。
【００１３】
ウイング部４３は、着用者の下着の非肌当接面側に折り返されるように構成されている。フラップ部６０は、ウイング部４３よりも後方に位置する。図１に、長手方向におけるウイング部の領域ＲＡと、長手方向におけるフラップ部の領域ＲＢとを図示して示す。本実施の形態におけるフラップ部６０は、本体部２よりも幅方向外側に延出した領域であって、ウイング部の後側端部から後方に延びている。
【００１４】
フラップ部６０の前側端部となるウイング部の後側端部（後述する後内側端部４３ＲＩ）は、ウイング部４３とフラップ部６０との間において最も幅方向内側に位置する部分である。また、本体部２は、フラップ部６０の前側端部及びウイング部の後側端部よりも幅方向内側の領域である。
【００１５】
図１に、幅方向における本体部の領域ＲＣと、幅方向におけるウイング部の領域及びフラップ部６０の領域ＲＤとを図示して示す。なお、本実施の形態は、ウイング部４３とフラップ部６０との間において最も幅方向内側に位置する部分よりも幅方向内側の領域を本体部としているが、必ずしもこの構成に限られない。例えば、本体吸収体３０が配置された領域から前後方向に延びる領域を、本体部としてもよい。また、本実施の形態では、ウイング部の幅方向の領域と、フラップ部の幅方向の領域とは、略一致しているが、必ずしも一致していなくてもよい。
【００１６】
吸収性物品１は、表面シート１０と、裏面シート２０と、本体吸収体３０と、フラップ吸収体３５と、を有する。本体吸収体３０及びフラップ吸収体３５は、表面シート１０と裏面シート２０との間に配設される。従って、本体吸収体３０及びフラップ吸収体は、図１及び図２において破線で示される。本体吸収体３０は、吸収性物品１の前後方向に沿った長手方向Ｌ及び幅方向Ｗにおける中央部分に配設される。フラップ吸収体３５は、フラップ部に配置され、吸収性物品の幅方向両端部近傍に配置される。
【００１７】
本実施の形態では、本体吸収体３０とフラップ吸収体３５とは、同じ吸収性材料によって構成され、かつ一体化されている。しかし、本体吸収体３０とフラップ吸収体３５とは、異なる吸収性材料によって構成されていてもよいし、一体化されずに、分離して設けられていてもよい。また、本体吸収体３０とフラップ吸収体３５とは、その厚みが異なっていてもよい。
【００１８】
表面シート１０は、体液等の液体を透過するシートである。表面シート１０は、少なくとも本体吸収体の表面を覆う。表面シート１０は、少なくとも本体部２に配置された本体表面シート１１と、フラップ部６０に配置されたフラップ表面シート１２と、を有する。本体表面シートは、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１９】
フラップ表面シート１２は、少なくともフラップ部６０を覆う。本実施の形態に係るフラップ表面シート１２は、フラップ部６０と、ウイング部４３と、本体部の一部（本体部の幅方向両端部）を覆うように配置されている。フラップ表面シート１２は、不織布、織布、有孔プラスチックシート、メッシュシート等を用いることができ、液体を透過する構造であってもよいし、液体を透過しない構造であってもよい。
【００２０】
但し、フラップ表面シート１２が疎水性又は撥水性を有する場合には、フラップ表面シートよりも幅方向内側に経血を抑えることができる。また、フラップ表面シート上に経血が流れた場合であっても、後述するフラップエンボス部によってフラップ表面シート１２が破断されているため、当該破断された箇所を介してフラップ表面シートよりも非肌当接面側に位置するフラップ吸収体に経血を引き込むことができる。
【００２１】
本実施の形態に係るフラップ表面シート１２は、エアースルー不織布によって構成されている。エアースルー不織布は、柔らかく肌触りがよい。身体に沿ってフラップ部を配置した際に、フラップ部の質感を向上させることにより、装着感をより向上させることができる。
【００２２】
裏面シート２０は、表面シート１０の長さと略同一の長さを有する。裏面シート２０は、ポリエチレンシート、炭酸カルシウムや硫酸バリウムを含んだ通気フィルム、ポリプロピレン等を主体としたラミネート不織布、通気性の樹脂フィルム、スパンボンド、又はスパンレース等の不織布に通気性の樹脂フィルムが接合されたシートなどを用いることができる。裏面シート２０は、着用時の違和感を生じさせない程度の柔軟性を有する材料とすることが好ましい。裏面シート２０は、不透液性且つ透湿性であることが望ましく、例えばポリエチレンやポリプロピレン等のオレフィン系樹脂に無機充填剤を溶融混練したものを延伸処理した微多孔性シートによって構成することができる。
【００２３】
本体吸収体３０及びフラップ吸収体３５は、親水性繊維、パルプを含む。本体吸収体３０及びフラップ吸収体３５は、経血などの体液を吸収可能な材料によって形成される。本体吸収体３０及びフラップ吸収体３５は、親水性繊維又は粉体をエアレイド法によって積層して形成されてもよいし、親水性繊維又は粉体をエアレイド法によってシート状に成形したエアレイドシートでもよいし、ティッシュ（例えば、目付１５ｇ／ｍ２）上に高吸収ポリマーを混入した粉砕パルプを配置し、ティッシュで包むことによって形成されていてもよい。
【００２４】
本実施の形態に係る本体吸収体３０及びフラップ吸収体３５は、綿状パルプや合成パルプ等を坪量１００〜３００ｇ／ｍ２程度に積層したパルプを保護紙（図示せず）で包むことによって構成されている。なお、本体吸収体３０及びフラップ吸収体３５は、全面ほぼ均一な厚みであってもよいし、非均一な厚みであってもよい。保護紙は、パルプの形状を保持するためのものであり、例えばクレープ紙やティッシュペーパーなどを用いることができる。
【００２５】
本体吸収体３０は、少なくとも着用者の排泄口が当接する排泄口当接領域の中心を含むように設けられる。排泄口当接領域の中心とは、着用者の排泄口が当接する中央領域の長手方向及び幅方向の中心と一致する。例えば、ウイング部を有する吸収性物品においては、ウイング部の長手方向の中心が、中央領域の長手方向の中心となる。また、ウイング部を有しない吸収性物品においては、吸収体の幅方向の長さ寸法が最も短い位置が、中央領域の長手方向の中心となる。なお、排泄口当接領域は、着用者の股間部と当接する領域に含まれており、着用者の両脚の間に位置する。
【００２６】
フラップ吸収体３５は、本体吸収体３０よりも幅方向外側に設けられる。フラップ吸収体３５は、フラップ部６０の外縁よりも幅方向内側に位置する。フラップ吸収体３５は、吸収性物品の外縁に設けられる外縁エンボス部（後述にて説明する）よりも内側に位置する。
【００２７】
吸収性物品１では、本体表面シート１１又はフラップ表面シート１２と、裏面シート２０と、の周縁が接合されて、本体吸収体が内封される。吸収性物品の外縁には、表面シート１０と裏面シート２０とが接合された外縁エンボス部８５が形成されている。外縁エンボス部８５は、表面シート１０と裏面シート２０とが厚み方向に圧搾されている。なお、表面シート１０と裏面シート２０との接合方法としては、ヒートエンボス加工、超音波、又はホットメルト接着剤のいずれか一つ、又は複数を組み合わせることが可能である。
【００２８】
裏面シート２０において、下着と接触する表面には、複数の領域において接着剤が塗布された接着部が設けられている（図２参照）。接着部は、本体部の裏面側に設けられ、下着のクロッチ部に吸収性物品１を固定するための中央接着部５１と、ウイング部４３の裏面側に設けられ、クロッチ部を巻き込んでウイング部４３を固定するためのウイング接着部５２と、フラップ部６０の裏面側に設けられ、下着の後身頃に対してフラップ部を開いた状態で固定するためのフラップ接着部５３と、を有する。
【００２９】
使用前の状態では、接着剤は、図示しない剥離シートに接している。剥離シートは、使用前に接着剤が劣化するのを防止している。そして、使用時に着用者によって剥離シートが剥離される。
【００３０】
なお、剥離シートを有しない吸収性物品においては、吸収性物品を個別に包装する包装シートによって使用前に接着剤が劣化するのを防止するように構成されていてもよい。接着剤と包装シートが接する場合には、包装シートの表面には、接着剤の接着力を低下させることなく接着剤を剥離可能にする処理を施すことが望ましい。
【００３１】
吸収性物品１には、表面シート１０及び本体吸収体３０を厚み方向に圧縮した本体エンボス部８０と、表面シート及びフラップ吸収体を厚み方向に圧搾したフラップエンボス部７０と、が形成されている。なお、本体エンボス部８０及びフラップエンボス部７０は、少なくとも表面シート１０及び本体吸収体を厚み方向Ｔに圧搾され、又は少なくとも表面シート１０及びフラップ吸収体を厚み方向Ｔに圧搾されて形成されていればよく、種々の構成を採用することができる。例えば、プレス加工やエンボス加工によって形成することができ、その形状は、格子網やハニカム形状であってもよい。
【００３２】
フラップ部６０は、幅方向の長さが、その前後の領域の幅方向長さよりも短く形成された複数の括れ部が形成されている。括れ部は、前側に位置する第１括れ部６１と、後側に位置する第２括れ部６２と、を有する。
【００３３】
フラップ部６０は、第１括れ部６１よりも前側に位置する第１フラップ部６３と、第１括れ部６１よりも後方であって、第２括れ部６２よりも前方に位置する第２フラップ部６４と、第２括れ部６２よりも後方に位置する第３フラップ部６５と、を有する。
【００３４】
第１フラップ部６３は、ウイング部４３の幅方向における内側端部のうち、後方に位置する後内側端部４３ＲＩから第１括れ部６１までの領域であり、後内側端部４３ＲＩから後方に向かうにつれて幅方向外側に延びる。第１フラップ部６３において最も幅方向外側に位置する第１最大幅位置（外側端部）６３ＷＭは、第１括れ部６１よりも幅方向外側に位置する。第１最大幅位置６３ＷＭは、第１フラップ部６３の前後方向における中心よりも後方に位置する。
【００３５】
第２フラップ部６４は、第１フラップ部６３の後端部となる第１括れ部６１から第２括れ部６２までの領域であり、第１括れ部６１から後方に向かうにつれて幅方向外側に延びる。第２フラップ部６４において最も幅方向外側に位置する第２最大幅位置（外側端部）６４ＷＭは、第２括れ部６２よりも幅方向外側に位置する。第２最大幅位置６４ＷＭは、第２フラップ部６４の前後方向における中心よりも後方に位置する。
【００３６】
第３フラップ部６５は、第２フラップ部６４の後端部となる第２括れ部からフラップ部の後側端部までの領域であり、第２括れ部６２から後方に向かうにつれて幅方向外側に延びる。第３フラップ部６５において最も幅方向外側に位置する第３最大幅位置（外側端部）６５ＷＭは、第２括れ部６２よりも幅方向外側に位置する。第３最大幅位置６５ＷＭは、第３フラップ部６５の前後方向における中心よりも後方に位置する。
【００３７】
次いで、フラップエンボス部について詳細に説明する。フラップエンボス部は、ウイング部４３の後内側端部４３ＲＩ近傍から後方に延びる第１フラップエンボス部７１と、第１フラップエンボス部７１から分岐し、かつ第１括れ部６１に向かって延びる第２フラップエンボス部７２と、第１フラップエンボス部７１から分岐し、第２括れ部６２に向かって延びる第３フラップエンボス部７３と、第１フラップエンボス部７１から分岐し、第３フラップ部６５の幅方向外側に位置する第３最大幅置６５ＷＭ近傍に向かって延びる第４フラップエンボス部７４と、を有する。フラップエンボス部７０は、フラップ吸収体３５が配置された領域内に形成されている。
【００３８】
このように構成された吸収性物品によれば、フラップ吸収体を有するため、フラップ部においても体液を吸収することができ、後漏れや横漏れを抑制できる。例えば、寝姿勢等においては、臀部と吸収性物品との隙間から経血等が漏れるおそれがある。しかし、フラップ部６０に、フラップ吸収体３５が設けられているため、後漏れ等を抑制できる。
【００３９】
また、フラップ部６０にフラップ吸収体３５が設けられているため、フラップ部の剛性が高くなり、フラップ部が変形し難くなるおそれがある。しかし、第２フラップエンボス部７２、第３フラップエンボス部７３、及び第４フラップエンボス部７４は、後方に向かうにつれて幅方向内側から幅方向外側に延びるように構成されているため、フラップエンボス部が力の掛かる方向に沿うため、フラップエンボス部が折り起点となり、フラップ部が自然と折り畳まれる。よって、フラップ部６０が身体に対しても、下着に対しても無理なく適合し易くなる。したがって、フラップ部に無秩序な皺が発生し難くなり、違和感のない変形ができ、すっきりした装着感が得られる。
【００４０】
フラップエンボス部は、厚み方向に圧搾された複数のエンボス構成部によって構成されている。具体的には、第２フラップエンボス部７２、第３フラップエンボス部７３、及び第４フラップエンボス部７４は、複数の点状のエンボス構成部の集合体によって構成されている。点状のエンボス構成部は、ライン状に配置され、互いに連続していない。複数の点状のエンボス構成部の集合体によれば、ライン状に連続するエンボス構成部と比較して、エンボス構成部によってフラップ部が硬くなり過ぎることを抑制できる。よって、フラップ部が身体のラインに沿って柔軟に変形し易くなり、フラップ部をより身体にフィットさせることができる。
【００４１】
また、第１フラップエンボス部は、長手方向に沿って延びており、ウイング部４３の後側端部からフラップ部の後側端部まで繋ぐように設けられている。よって、吸収性物品の幅方向中央から幅方向外側に向かって体液が拡散した際に、第１フラップエンボス部において体液を引き込み、第１フラップエンボス部よりも幅方向外側に体液が拡散することを抑制できる。
【００４２】
また、フラップエンボス部は、幅方向において複数重なって配置されている。具体的には、第１フラップエンボス部は、第２フラップエンボス部、第３フラップエンボス部、及び第４フラップエンボス部と幅方向において重なっている。第２フラップエンボス部は、第１フラップエンボス部及び第３フラップエンボス部と幅方向に重なっている。第３フラップエンボス部は、第１フラップエンボス部、第２フラップエンボス部、及び第４フラップエンボス部と幅方向において重なっている。
【００４３】
フラップエンボス部が、幅方向において重なっているため、吸収性物品の幅方向中央から幅方向外側に体液が流れた場合に、第１フラップエンボス部、第２フラップエンボス部７２、第３フラップエンボス部７３、及び第４フラップエンボス部７４によって、二重、三重で体液を引き込み、吸収性物品の外縁に体液が到達することを防ぐことができる。
【００４４】
また、第１フラップエンボス部７１は、ウイング部４３の後側端部の近傍から長手方向に沿って延びているため、ウイング部近傍において着用者の脚によって幅方向外側から幅方向内側に押圧された際に、変形基点となる。この第１フラップエンボス部７１から分岐して複数のフラップエンボス部が設けられているため、ウイング部４３近傍において大きく変形した場合であっても、複数のフラップエンボス部を基点として変形でき、フラップ部全体が柔軟に変形可能となる。
【００４５】
なお、第１フラップエンボス部７１は、ウイング部４３の後側端部よりも後方であって、ウイング部４３の後側端部と離間しているが、この構成に限れない。第１フラップエンボス部７１は、例えば、ウイング部４３の後側端部から後方に向かって延びていてもよい。
【００４６】
吸収性物品の幅方向両端部の外縁には、外縁エンボス部８５が設けられている。外縁エンボス部８５は、厚み方向に圧搾された複数のエンボス構成部によって構成されている。具体的には、外縁エンボス部８５は、複数の点状のエンボス構成部の集合体によって構成されている。点状のエンボス構成部は、ライン状に配置され、互いに連続していない。
【００４７】
外縁エンボス部を構成する点状のエンボス構成部は、フラップエンボス部を構成する点状のエンボス構成部と形状又は深さが異なるように構成されている。具体的には、フラップエンボス部を構成するエンボス構成部の面積は、外縁エンボス部を構成する点状のエンボス構成部の面積よりも大きい。又は、フラップエンボス部を構成する点状のエンボス構成部の深さは、外縁エンボス部を構成する点状のエンボス構成部の深さよりも深い。
【００４８】
外縁エンボス部よりも内側に、フラップエンボス部が実質的に連続するように配置されているため、吸収性物品の外縁に体液が流れることを防止できる。また、使用者は、第２フラップエンボス部７２、第３フラップエンボス部７３、及び第４フラップエンボス部７４を明瞭に視認でき、体液を引き込み可能なフラップエンボス部が、吸収性物品の外縁よりも内側に存在していることを認識でき、横漏れが発生し難いという安心感を得ることができる。
【００４９】
更に、フラップエンボス部を構成するエンボス構成部は、外縁エンボス部を構成するエンボス構成部よりも面積が大きく又は深さが深く、目立ちやすい。よって、比較的フラップエンボス部を目立たせることができる。使用者は、吸収性物品の外縁よりも内側に横漏れを防ぐものであるフラップエンボス部を気づき易くなり、より安心感を得ることができる。
【００５０】
また、フラップエンボス部を構成するエンボス構成部の形状と、外縁エンボス部を構成するエンボス構成部の形状とは、異なることが望ましい。なお、エンボス構成部の形状が異なるとは、円形状と三角形状等、外形の形状が異なる構成のみならず、形状が同じであって大きさが異なる相似形も含む概念である。フラップエンボス部を構成するエンボス構成部の形状と、外縁エンボス部を構成するエンボス構成部の形状とを異ならせることにより、体液を引き込み可能なフラップエンボス部が吸収性物品の外縁よりも内側に存在していることを認識でき、横漏れが発生し難いという安心感を得ることができる。
【００５１】
外縁エンボス部とフラップエンボス部とは、間隔を空けて配置されている。例えば、外縁エンボス部とフラップエンボス部が連なっていると、フラップエンボス部によって引き込まれた体液が、外縁エンボス部に伝播するおそれがある。しかし、外縁エンボス部とフラップエンボス部が離れているため、フラップエンボス部によって引き込まれた体液が外縁エンボス部に伝播することを抑制でき、体液の漏れを抑制できる。
【００５２】
次に、第１の実施形態に係る吸収性物品１の製造方法の一部について説明する。なお、説明しない方法については、既存の方法を用いることができる。吸収性物品の製造方法は、第１ステップとして、表面シート生成工程を行う。次いで、第２ステップとして、表面シート接合工程を行う。具体的には、本体表面シート１１とフラップ表面シート１２とを、例えば熱溶着によって接着する。
【００５３】
第３ステップとして、吸収体成型工程を行う。具体的には、成型ドラムによって吸収体の材料となるパルプを成型して本体吸収体及びフラップ吸収体を成型する。なお、第１ステップ及び第２ステップの表面シートの製造工程と、第３ステップの吸収体成型工程の順序は、逆の順序であってもよい。
【００５４】
第４ステップにおいて、接合工程を行う。具体的には、第３ステップにおいて成型した本体吸収体及びフラップ吸収体と、第２ステップにおいて接合した表面シート及びサイドシートと、を接合する接合工程を行う。
【００５５】
第５ステップにおいて、圧搾工程を行う。具体的には、本体吸収体と表面シート１０とを厚み方向に圧縮し、本体エンボス部８０を形成し、かつフラップ表面シート１２とフラップ吸収体３５とを厚み方向に圧縮し、フラップエンボス部７０を形成する。第６ステップにおいて、裏面シート接合工程を行う。具体的には、エンボス部を形成した吸収体及び表面シート等と、裏面シートとを接合する。上記ステップの後、外縁エンボス部８５を形成する工程と、接着剤を塗布する工程を備える。上記の工程により、本実施の形態に係る吸収性物品を製造することができる。
【００５６】
次いで、変形例１に係る吸収性物品１Ａについて説明する。図５は、変形例１に係る吸収性物品１Ａの一部の表面側から見た平面図である。図５に示す吸収性物品は、エンボスフラップ部を構成するエンボス構成部が図形形状を示す図形エンボス構成部９１と、絵柄形状を示す絵柄エンボス構成部９２と、を有する。
【００５７】
図形エンボス構成部９１は、図形形状を示すエンボス部である。なお、図形形状とは、点、線、円形、三角形及び四角形等の多角形を含む概念である。絵柄エンボス構成部９２は、絵柄形状を示すエンボス部である。なお、絵柄形状とは、星柄、ハート柄，リーフ柄、花柄等、種々の模様や絵を含む概念である。
【００５８】
絵柄エンボス構成部９２を有することにより、美観を高めることができる。更に、吸収性物品１Ａを可愛らしく装飾でき、使用者の生理時の憂鬱な気分を緩和できる。更に、絵柄エンボス構成部９２は、ライン状のエンボス部と比較して目立ちやすく、使用者が外縁エンボス部８５よりも内側に体液を吸収するエンボス部があることを認識できる。よって、使用者が、より横漏れに対する安心感を得ることができる。
【００５９】
また、絵柄エンボス構成部９２の面積は、図柄エンボス構成部９１の面積よりも大きい。よって、絵柄エンボス構成部９２は、図柄エンボス構成部９１よりも目立ち易く、目印の役割を担う。例えば、フラップ部６０に経血が拡散した場合、フラップエンボス部は、経血を引き込んで滲む。その際、比較的面積が大きい絵柄エンボス構成部に経血が滲むため、経血が滲んだ絵柄エンボス構成部を使用者が視認し、取替え時期を判断しやすくなる。
【００６０】
図形エンボス構成部９１は、所定のライン上に配置されており、絵柄エンボス構成部は、ラインからずれて配置されている。なお、当該ラインは、直線状のラインのみならず、曲線状のラインも含む概念である。図形エンボス構成部９１を所定のライン上に配置することにより、図形エンボス構成部９１を密に配置でき、当該図形エンボス構成部で体液を引き込み、横漏れを防ぐことができる。また、絵柄エンボス構成部９２を図形エンボス構成部９１が配置されたラインからずれて配置することにより、絵柄エンボス構成部９２を目立たせることができ、横漏れ防止機能を確保しつつ、美観を高めることができる。
【００６１】
絵柄エンボス構成部９２の所定ラインと直交する幅寸法Ｗ９２は、所定のラインの幅Ｗ９１よりも大きい。絵柄エンボス構成部９２の所定ラインと直交する幅寸法が、図形エンボス構成部９１が配置されたラインの幅よりも大きいため、絵柄エンボス構成部９２を目立たせることができ、美観を高めることができる。また、絵柄エンボス構成部９２の面積が大きいため、図形エンボス構成部９１の全体に体液が浸透した場合であっても、絵柄エンボス構成部９２の全体に体液が浸透しないことがあり、絵柄エンボス構成部９２によって取り換え時期を把握することができる。
【００６２】
また、絵柄エンボス構成部９２が、図形エンボス構成部９１が配置されたラインからずれていると、図形エンボス構成部９１が配置された部分によって、フラップ部の変形を止めることができる。具体的には、ウイング部の付け根近傍を基点にしてフラップ部が変形する際は、一定のライン状に配置された図形エンボス部が変形基点となる。このとき、図形エンボス構成部のラインからずれた絵柄エンボス構成部が配置されている箇所で、フラップ部の変形が止まりやすくなり、フラップ部の過剰な変形を抑制することができる。なお、絵柄エンボス構成部９２の幅が、図形エンボス構成部９１の幅よりも大きいと、絵柄エンボス構成部９２が、図形エンボス構成部９１が配置されたラインから飛び出し、フラップ部の変形抑制効果を得ることができる。
【００６３】
また、絵柄エンボス構成部は、図柄エンボス構成部のラインよりも後方に配置されていることが好ましい。絵柄エンボス構成部は、図柄エンボス構成部のラインよりも後方に配置されて場合には、前方に位置するウイング部側からフラップ部が変形した際に，後方に向かって変形が伝わるのを抑制できる。
【００６４】
図形エンボス構成部９１は、複数隣接して配置されており、絵柄エンボス構成部９２は、図形エンボス構成部９１間に配置されている。絵柄エンボス構成部９２と図形エンボス構成部９１の間隔Ｐ１は、図形エンボス構成部９１同士の間隔Ｐ２よりも大きい。絵柄エンボス構成部９２と図形エンボス構成部９１の間隔を図形エンボス構成部９１同士の間隔よりも大きくすることにより、絵柄エンボス構成部９２を目立たせることができ、美観を高めることができる。
【００６５】
また、外縁エンボス部を構成するエンボス構成部が、絵柄エンボス構成部９２を含んでいてもよい。しかし、吸収性物品の外縁が開かないようにするために、外縁エンボス部は、点状や格子状のエンボス構成部によって、隙間なく設けることが望ましい。
【００６６】
また、変形例１に係るフラップエンボス部は、長手方向に離間して２列設けられている。後方に位置するフラップエンボス部は、フラップ部において最も幅方向外側に位置する最大膨出部としての第３最大幅位置６５ＷＭよりも前方の領域において、後方に向かって幅方向内側から幅方向外側に向かって延び、かつフラップ部において最も幅方向外側に位置する第３最大幅位置６５ＷＭよりも後方の領域において、後方に向かって幅方向外側から幅方向内側に向かって延びる。
【００６７】
フラップ部の外形は、最大膨出部よりも前方において、実質的に後方に向かって幅方向内側から幅方向外側に向かって延び、最大膨出部よりも後方において、実質的に後方に向かって幅方向外側から幅方向内側に向かって延びる。フラップエンボス部が、フラップ部の外形に沿って配置されるため、フラップ部の後側の外縁（特に、最大膨出部よりも後側の外縁）における漏れを防ぐことができる。
【００６８】
また、変形例１に係るフラップ部には、ウイング部の後内側端部近傍から後方に延びる第１フラップエンボス部が設けられていないが、第１フラップエンボス部が設けられていてもよい。
【００６９】
次いで、変形例２に係る吸収性物品１Ｂについて説明する。図６は、変形例１に係る吸収性物品の一部の表面側から見た平面図である。図６に示す吸収性物品１Ｂは、フラップエンボス部として、第３フラップエンボス部７３、及び第４フラップエンボス部７４を有する。これらのフラップエンボス部は、それぞれ第１エンボス構成部９３及び第２エンボス構成部９４によって構成されている。
【００７０】
第１エンボス構成部９３は、少なくとも前後方向に延びるエンボス部であり、第２エンボス構成部９４は、第１エンボス構成部９３よりも幅方向内側に位置し、かつ少なくとも前後方向に延びるエンボス部である。第１エンボス構成部９３と第２エンボス構成部９４は、幅方向において重なっている。なお、第１エンボス構成部９３と第２エンボス構成部９４が幅方向において重なっている状態とは、幅方向に延びる直線上に第１エンボス構成部９３の一部と第２エンボス構成部９４の一部が位置する状態である。
【００７１】
第１エンボス構成部９３と第２エンボス構成部９４とが、幅方向において重なっているため、吸収性物品の幅方向中央から幅方向外側に体液が流れた場合に、第３フラップエンボス部７３、及び第４フラップエンボス部７４のそれぞれにおいて、二重で体液を引き込み、吸収性物品の外縁に体液が到達することを防ぐことができる。
【００７２】
また、変形例２に係るフラップ部には、ウイング部の後内側端部近傍から後方に延びる第１フラップエンボス部が設けられていないが、第１フラップエンボス部が設けられていてもよい。
【００７３】
次いで、変形例３に係る吸収性物品１Ｃについて、説明する。図７は、変形例３に係る吸収性物品１Ｃの一部の表面側から見た平面図である。変形例３に係る吸収性物品は、本体エンボス部８０を構成するエンボス構成部と、フラップエンボス部を構成するエンボス構成部とは、同一又は相似形である。
【００７４】
具体的には、本体エンボス部８０を構成するエンボス構成部の形状は、フラップエンボス部を構成するエンボス構成部の形状と同一である。本体エンボス部８０を構成するエンボス構成部の大きさは、フラップエンボス部を構成するエンボス構成部の形状と同じであってもよいし、異なっていてもよい。
【００７５】
このように、フラップエンボス部を構成するエンボス構成部を、本体部を構成するエンボス構成部と同一又は相似形にすることにより、本体部２のみならず、フラップ部６０においても体液を吸収できることを強調でき、使用者の安心感を高めることができる。
【００７６】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００７７】
例えば、フラップ部６０には、括れ部が形成されていなくてもよい。また、各フラップ部の最大幅位置は、必ずしも各フラップ部の長手方向における中心より後方に配置されていなくてもよい。また、複数のフラップ部において後方に位置するフラップ部は、必ずしも前方に位置するフラップ部よりも幅方向外側に配置されてなくてもよく、幅方向において同じ位置であってもよいし、幅方向において内側に配置されていてもよい。
【００７８】
更に、フラップエンボス部の後端部は、必ずしも括れ部に位置してなくてもよく、括れ部とずれて配置されていてもよい。また、フラップエンボス部は、フラップ接着部と必ずしも厚み方向にずれて配置されてなくてもよく、一部重なって配置されていてもよい。フラップ部の着用者に対する当接面は、必ずしもエアースルー不織布によって構成されていなくてもよい。
【００７９】
本実施の形態に係るフラップエンボス部は、間欠的に配置された複数のドット状の集合体であるが、線状のエンボス部によって構成されていてもよい。また、本実施の形態に係るフラップエンボス部は、表面シート側から裏面シート側に圧縮されて形成されているが、例えば、裏面シート側から表面シート側に圧縮されて形成されていてもよい。
【符号の説明】
【００８０】
Ｌ…長手方向
Ｔ…厚み方向
Ｗ…幅方向
１，１Ａ、１Ｂ…吸収性物品
２…本体部
１０…表面シート
１１…本体表面シート
１２…フラップ表面シート
２０…裏面シート
３０…本体吸収体
３５…フラップ吸収体
４３…ウイング部
４３ＲＩ…後内側端部
５１…中央粘着剤
５２…ウイング粘着剤
５３…フラップ粘着剤
６０…フラップ部
６１…第１括れ部
６２…第２括れ部
６３…第１フラップ部
６３ＷＭ…第１最大幅位置
６４…第２フラップ部
６４ＷＭ…第２最大幅位置
６５…第３フラップ部
６５ＷＭ…第３最大幅位置
７０…フラップエンボス部
７１…第１フラップエンボス部
７２…第２フラップエンボス部
７３…第３フラップエンボス部
７４…第４フラップエンボス部
８０…本体エンボス部 
９１…図形エンボス構成部
９２…絵柄エンボス構成部
９３…第１エンボス構成部
９４…第２エンボス構成部
【図１】
2014147461.tif 000003
【図２】
2014147461.tif 000004
【図３】
2014147461.tif 000005
【図４】
2014147461.tif 000006
【図５】
2014147461.tif 000007
【図６】
2014147461.tif 000008
【図７】
2014147461.tif 000009